(57)【要約】      （修正有）【課題】折り畳み時に、ハンドル等の突出物を収納することにより、コンパクトに折り畳むことができる折り畳み扉と折り畳み扉装置を提供する。【解決手段】互いに回動可能に連結された複数の扉９，１１と、複数の扉の内の少なくとも１つの扉に設置されたハンドル４７，４９と、複数の扉の内のハンドル４７，４９が設置された扉以外の扉に設けられた収納部１３１と、を具備する。複数の扉が回動されて折り畳まれた際にハンドル４７，４９部の全部又は一部が収納部内１３１に収納される。【選択図】図１５
0003186005.tif 000002
【実用新案登録請求の範囲】
【請求項１】
互いに回動可能に連結された複数の扉と、
上記複数の扉の内の少なくとも１つの扉に設置された突出部と、
上記複数の扉の内の上記突出部が設置された扉以外の扉に設けられた収納部と、を具備し、
上記複数の扉が回動されて折り畳まれた際に上記突出部の全部又は一部が上記収納部内に収納されることを特徴とする折り畳み扉。
【請求項２】
請求項１記載の折り畳み扉において、
上記収納部は上記扉に埋設され開口部を有する収納ボックスにより構成されることを特徴とする折り畳み扉。
【請求項３】
請求項２記載の折り畳み扉において、
上記収納ボックスは複数の構造材を組み合わせた枠体とこの枠体の開口部の内の一方を閉塞するように設けられた板状部材とから構成されていることを特徴とする折り畳み扉。
【請求項４】
請求項１〜３の何れかに記載の折り畳み扉において、
上記突出部はハンドルであり、上記収納部にはこのハンドルが収納されることを特徴とする折り畳み扉。
【請求項５】
請求項４記載の折り畳み扉において、
上記突出部はハンドルと施錠装置であり、上記収納部にはこのハンドルと施錠装置の両方が収納されることを特徴とする折り畳み扉。
【請求項６】
請求項１〜請求項５の何れかに記載の折り畳み扉において、
上記扉は２枚であることを特徴とする折り畳み扉。
【請求項７】
請求項１〜請求項６の何れかに記載の折り畳み扉と、
上記折り畳み扉が回動可能に設置される設置部と、を具備し、
上記設置部にも上記折り畳み扉に設けられた収納部と同様の収納部が設けられており、
上記折り畳み扉が上記設置部に対して回動されて折り畳まれた際に上記突出部の全部又は一部が上記設置部の収納部内にも収納されることを特徴とする折り畳み扉装置。
【請求項８】
請求項７記載の折り畳み扉装置において、
上記突出部はハンドルであり、上記設置部の収納部にはこのハンドルが収納されることを特徴とする折り畳み扉。
【請求項９】
請求項７記載の折り畳み扉装置において、
上記突出部はハンドルと施錠装置であり、上記設置部の収納部にはこのハンドルと施錠装置の両方が収納されることを特徴とする折り畳み扉。
【請求項１０】
請求項７〜請求項９の何れかに記載の折り畳み扉装置において、
上記折り畳み扉は２つの扉から構成されており、
上記２つの扉の内の戸先側の扉に突出部が設置されており、
上記２つの扉の内の戸尻側の扉に収納部が設置されており、
上記戸先側の扉は上記折り畳み扉が折り畳まれた際に上記戸尻側の扉と上記設置部との間に収納されることを特徴とする折り畳み扉装置。
【考案の詳細な説明】
【技術分野】
【０００１】
本考案は、例えば、部屋の出入口に使用される折り畳み扉と折り畳み扉装置に係り、特に、折り畳み時に、ハンドル等の突出物を収納することにより、コンパクトに折り畳むことができるように工夫したものに関する。
【背景技術】
【０００２】
従来の折り畳み扉１００１は、例えば、図２０に示すようなものであった。
この折り畳み扉１００１は、複数（例えば、図２０に示す場合は２つ）の扉１００３、１００５から構成されている。上記折り畳み扉１００１は、壁１００７に設置され、この壁１００７の開口部１００９を閉塞するものである。
【０００３】
上記扉１００３は、その一端（図２０中右端）が、上記開口部１００９の一辺（図２０中左側の辺）に対して、例えば、上下二箇所のヒンジ機構１０１１、１０１１を介して回動可能に連結されている。
上記扉１００５は、その一端（図２０中左端）が上記扉１００３の他端（図２０中左端）に対して、例えば、上下二箇所のヒンジ機構１０１３、１０１３を介して回動可能に連結されている。また、図２０に示すように、上記扉１００５の他端側（図２０中右側）の両面側（図２０中上下方向両側）には、それぞれ、ハンドル１０１５、１０１７が設置されている。
【０００４】
上記折り畳み扉１００１は、展開された状態、すなわち、上記壁１００７、扉１００３、１００５が同一平面上に並んだ状態で、上記壁１００７の開口部１００９を閉塞する。また、上記折り畳み扉１００１は、上記開口部１００９を開放する際には、上記扉１００５、１００３が回動され、図２０に示すような状態で折り畳まれる。
【０００５】
一方、特許文献１に示すような折り畳みドアもある。
この特許文献１に記載された折り畳みドアは、図２０に示す折り畳み扉１００１と同様に、例えば、壁の開口部に回動可能に設置された第１ドア板と、この第１ドア板に対して回動可能に連結された第２ドア板とから構成されている。
【先行技術文献】
【特許文献】
【０００６】
【特許文献１】実用新案登録第３１７５３５２号公報
【考案の概要】
【考案が解決しようとする課題】
【０００７】
しかし、従来の構成では、次のような問題があった。
図２０に示す折り畳み扉１００１は、折り畳まれた場合、上記ハンドル１０１５が上記壁１００７に干渉するとともに、上記ハンドル１０１７が上記扉１００３と干渉してしまう。そのため、上記扉１００３、１００５を上記壁１００７に対して、最低限平行な状態になるまでコンパクトに折り畳むことができないという問題があった。
また、上記扉１００３を上記壁１００７に対して、最低限平行になるまで折り畳むことができないため、図２０に示すように、上記扉１００３の図２０中右端側の部分が上記開口部１００９側に突出してしまう。そのため、その突出した部分によって上記開口部１００９の有効幅（図２０中左右方向大きさ）が狭められてしまうという問題もあった。
【０００８】
また、例えば、折り畳み扉１００１の出口側（図２０中下側）が廊下であった場合、上記折り畳み扉１００１を折り畳んだ状態での廊下の有効幅に関して、例えば、消防法等により、最低限必要な大きさが規定されている。ところが、上記したように折り畳み扉１００１を折り畳んだ状態では、廊下側にその折り畳んだ折り畳み扉１００１が大きく突出してしまい、その有効幅を狭めてしまうことになる。そのため、上記廊下そのものの幅を大きくしなければならず、その結果、建屋の大型化をきたしてしまうという問題もあった。
【０００９】
一方、特許文献１に記載された折り畳みドアには、前述した折り畳み扉１００１のようなハンドルの構成は開示されてはいないが、仮に、同等のハンドルが存在するとすれば、同様の問題がある。
【００１０】
本考案は、このような点に基づいてなされたもので、その目的とするところは、折り畳み時に、ハンドル等の突出物を収納することにより、コンパクトに折り畳むことができる折り畳み扉と折り畳み扉装置を提供することにある。
【課題を解決するための手段】
【００１１】
上記課題を解決するべく請求項１に記載された折り畳み扉は、互いに回動可能に連結された複数の扉と、上記複数の扉の内の少なくとも１つの扉に設置された突出部と、上記複数の扉の内の上記突出部が設置された扉以外の扉に設けられた収納部と、を具備し、上記複数の扉が回動されて折り畳まれた際に上記突出部の全部又は一部が上記収納部内に収納されることを特徴とするものである。
なお、ここで規定する突出部の全部又は一部とは、突出部が複数ある場合に、全ての突出部又は何れかの突出部という意味と、一つの突出部に関してその全部又は一部という意味、の両方の意味を兼ね備えている。
また、請求項２に記載された折り畳み扉は、請求項１記載の折り畳み扉において、上記収納部は上記扉に埋設され開口部を有する収納ボックスにより構成されることを特徴とするものである。
また、請求項３に記載された折り畳み扉は、請求項２記載の折り畳み扉において、上記収納ボックスは複数の構造材を組み合わせた枠体とこの枠体の開口部の内の一方を閉塞するように設けられた板状部材とから構成されていることを特徴とするものである。
また、請求項４に記載された折り畳み扉は、請求項１〜３の何れかに記載の折り畳み扉において、上記突出部はハンドルであり、上記収納部にはこのハンドルが収納されることを特徴とするものである。
また、請求項５に記載された折り畳み扉は、請求項４記載の折り畳み扉において、上記突出部はハンドルと施錠装置であり、上記収納部にはこのハンドルと施錠装置の両方が収納されることを特徴とするものである。
また、請求項６に記載された折り畳み扉は、請求項１〜請求項５の何れかに記載の折り畳み扉において、上記扉は２枚であることを特徴とするものである。
また、請求項７に記載された折り畳み扉装置は、請求項１〜請求項６の何れかに記載の折り畳み扉と、上記折り畳み扉が回動可能に設置される設置部と、を具備し、上記設置部にも上記折り畳み扉に設けられた収納部と同様の収納部が設けられており、上記折り畳み扉が上記設置部に対して回動されて折り畳まれた際に上記突出部の全部又は一部が上記設置部の収納部内にも収納されることを特徴とするものである。
なお、この場合も、ここで規定する突出部の全部又は一部とは、突出部が複数ある場合に、全ての突出部又は何れかの突出部という意味と、一つの突出部に関してその全部又は一部という意味、の両方の意味を兼ね備えている。
また、請求項８に記載された折り畳み扉装置は、請求項７記載の折り畳み扉装置において、上記突出部はハンドルであり、上記設置部の収納部にはこのハンドルが収納されることを特徴とするものである。
また、請求項９に記載された折り畳み扉装置は、請求項７記載の折り畳み扉装置において、上記突出部はハンドルと施錠装置であり、上記設置部の収納部にはこのハンドルと施錠装置の両方が収納されることを特徴とするものである。
また、請求項１０に記載された折り畳み扉装置は、請求項７〜請求項９の何れかに記載の折り畳み扉装置において、上記折り畳み扉は２つの扉から構成されており、上記２つの扉の内の戸先側の扉に突出部が設置されており、上記２つの扉の内の戸尻側の扉に収納部が設置されており、上記戸先側の扉は上記折り畳み扉が折り畳まれた際に上記戸尻側の扉と上記設置部との間に収納されることを特徴とするものである。
【考案の効果】
【００１２】
以上述べたように、請求項１記載の折り畳み扉によると、互いに回動可能に連結された複数の扉と、上記複数の扉の内の少なくとも１つの扉に設置された突出部と、上記複数の扉の内の上記突出部が設置された扉以外の扉に設けられた収納部と、を具備し、上記複数の扉が回動されて折り畳まれた際に上記突出部の全部又は一部が上記収納部内に収納されるため、上記収納部を設けるだけの簡単な構成により上記突出部と上記扉との干渉を防ぎ、上記折り畳み扉をコンパクトに折り畳むことができる。
また、請求項２に記載された折り畳み扉は、請求項１記載の折り畳み扉において、上記収納部は上記扉に埋設され開口部を有する収納ボックスにより構成されるため、上記扉に上記収納ボックスを埋設することで容易に収納部を設けることができる。
また、請求項３に記載された折り畳み扉は、請求項２記載の折り畳み扉において、上記収納ボックスは複数の構造材を組み合わせた枠体とこの枠体の開口部の内の一方を閉塞するように設けられた板状部材とから構成されているため、上記収納ボックスを容易に構成することができる。
また、請求項４に記載された折り畳み扉は、請求項１〜３の何れかに記載の折り畳み扉において、上記突出部はハンドルであり、上記収納部にはこのハンドルが収納されるため、上記ハンドルを上記収納部に収納することにより、上記折り畳み扉をコンパクトに折り畳むことができる。
また、請求項５に記載された折り畳み扉は、請求項４記載の折り畳み扉において、上記突出部はハンドルと施錠装置であり、上記収納部にはこのハンドルと施錠装置の両方が収納されるため、１つの上記収納部が設けられていればよく、上記折り畳み扉を簡易な構成とすることができる。
また、請求項６に記載された折り畳み扉は、請求項１〜請求項５の何れかに記載の折り畳み扉において、上記扉は２枚であるため、簡易な構成により、所望の折り畳み扉を得ることができる。
また、請求項７に記載された折り畳み扉装置は、請求項１〜請求項６の何れかに記載の折り畳み扉と、上記折り畳み扉が回動可能に設置される設置部と、を具備し、上記設置部にも上記折り畳み扉に設けられた収納部と同様の収納部が設けられており、上記折り畳み扉が上記設置部に対して回動されて折り畳まれた際に上記突出部の全部又は一部が上記設置部の収納部内にも収納されるため、上記設置部側にも収納部を設けることで、上記折り畳み扉をコンパクトに折り畳むことができる。
また、請求項８に記載された折り畳み扉装置は、請求項７記載の折り畳み扉装置において、上記突出部はハンドルであり、上記設置部の収納部にはこのハンドルが収納される構成になっているので、折り畳んだ状態でハンドルが収納部に収納されることになり、コンパクトな状態で折り畳むことができる。
また、請求項９に記載された折り畳み扉装置は、請求項７記載の折り畳み扉装置において、上記突出部はハンドルと施錠装置であり、上記設置部の収納部にはこのハンドルと施錠装置の両方が収納される構成になっているので、折り畳んだ状態でハンドルと施錠装置の両方が収納部に収納されることになり、コンパクトな状態で折り畳むことができる。
また、請求項１０に記載された折り畳み扉装置は、請求項７〜請求項９の何れかに記載の折り畳み扉装置において、上記折り畳み扉は２つの扉から構成されており、上記２つの扉の内の戸先側の扉に突出部が設置されており、上記２つの扉の内の戸尻側の扉に収納部が設置されており、上記戸先側の扉は上記折り畳み扉が折り畳まれた際に上記戸尻側の扉と上記設置部との間に収納されるため、上記突出部が外部に露出されず、コンパクトに折り畳むことができる。
【図面の簡単な説明】
【００１３】
【図１】本考案の第１の実施の形態を示す図で、本実施の形態による折り畳み扉及び折り畳み扉装置を展開させ、開口部を閉塞させた状態の正面図である。
【図２】本考案の第１の実施の形態を示す図で、図１におけるＩＩ−ＩＩ断面図である。
【図３】本考案の第１の実施の形態を示す図で、図３（ａ）は、図１におけるＩＩＩａ部の拡大図、図３（ｂ）は、図１におけるＩＩＩｂ部の拡大図である。
【図４】本考案の第１の実施の形態を示す図で、図４（ａ）は、図３（ａ）におけるＩＶａ−ＩＶａ断面図、図４（ｂ）は、図３（ｂ）におけるＩＶｂ−ＩＶｂ断面図である。
【図５】本考案の第１の実施の形態を示す図で、図５（ａ）は、図１におけるＶａ部の拡大図、図５（ｂ）は、図５（ａ）におけるＶｂ−Ｖｂ矢視図である。
【図６】本考案の第１の実施の形態を示す図で、図６（ａ）は、図１におけるＶＩａ部の拡大図、図６（ｂ）は、図６（ａ）におけるＶＩｂ−ＶＩｂ矢視図である。
【図７】本考案の第１の実施の形態を示す図で、図７（ａ）は、図２におけるＶＩＩａ部の拡大図、図７（ｂ）は、図２におけるＶＩＩｂ部の拡大図である。
【図８】本考案の第１の実施の形態を示す図で、本実施の形態による折り畳み扉及び折り畳み扉装置に用いられる収納ボックスの斜視図である。
【図９】本考案の第１の実施の形態を示す図で、本実施の形態による折り畳み扉及び折り畳み扉装置に用いられる収納ボックスの分解斜視図である。
【図１０】本考案の第１の実施の形態を示す図で、本実施の形態による折り畳み扉及び折り畳み扉装置に用いられる収納ボックスを構成する構造材の端面図である。
【図１１】本考案の第１の実施の形態を示す図で、本実施の形態による折り畳み扉及び折り畳み扉装置の第１扉のみ開放させた状態の正面図である。
【図１２】本考案の第１の実施の形態を示す図で、図１１におけるＸＩＩ−ＸＩＩ断面図である。
【図１３】本考案の第１の実施の形態を示す図で、本実施の形態による折り畳み扉及び折り畳み扉装置の全ての扉を開放させた状態の正面図である。
【図１４】本考案の第１の実施の形態を示す図で、図１３におけるＸＩＶ−ＸＩＶ断面図である。
【図１５】本考案の第１の実施の形態を示す図で、図１４におけるＸＶ部の拡大図である。
【図１６】本考案の第１の実施の形態を示す図で、図１５におけるＸＶＩ−ＸＶＩ矢視図である。
【図１７】本考案の第１の実施の形態を示す図で、本実施の形態による折り畳み扉及び折り畳み扉装置の第１扉及び第２扉の回動される範囲を示す図である。
【図１８】本考案の第２の実施の形態を示す図で、本実施の形態による折り畳み扉及び折り畳み扉装置を示す正面図である。
【図１９】本考案の第２の実施の形態を示す図で、図１９（ａ）は、本実施の形態による折り畳み扉及び折り畳み扉装置を示す正面図、図１９（ｂ）は、図１９（ａ）におけるＸＩＸｂ−ＸＩＸｂ断面図である。
【図２０】従来の折り畳み扉を示す図で、上記折り畳み扉を折り畳んだ状態を示す横断面図である。
【考案を実施するための形態】
【００１４】
以下、図１〜図１７を参照しながら、本考案の第１の実施の形態について説明する。
本実施の形態による折り畳み扉１は、例えば、図１に示すように、設置部としての壁３の開口部５の、図１中左側の辺に対して回動可能に取り付けられており、上記折り畳み扉１と上記壁３によって折り畳み扉装置７が構成されている。
また、上記折り畳み扉１は、いわゆる「「片開き」の折り畳み扉である。
以下、図１〜図１０を参照しながら、上記折り畳み扉１を含んだ上記折り畳み扉装置７の構成について、詳細に説明する。
【００１５】
上記折り畳み扉１は、第１扉９と、この第１扉９の図１中左側端に回動可能に連結された第２扉１１とから構成されている。また、上記第２扉１１の図１中左側端は、上記開口部５の図１中左側の辺に対して回動可能に連結されており、これにより、上記折り畳み扉１は上記壁３に取り付けられている。
【００１６】
上記第１扉９は、例えば、図１や図２に示すように、四角形に組み合わせた４つの枠材２１、２１、２１、２１と、これら枠材２１、２１、２１、２１の内側に設置された芯材２３と、上記枠材２１、２１、２１、２１と芯材２３の図２中上下両面側に設置された表面パネル２５、２５と、これら枠材２１、２１、２１、２１と芯材２３と表面パネル２５、２５の外周側に設置された外枠２７、２７、２７、２７と、から構成される。
【００１７】
また、上記第１扉９の、戸尻側（図２中左側）の端部には、ヒンジ機構３１、３１、３１が設置されている。このヒンジ機構３１、３１、３１によって、上記第１扉９と、既に述べた第２扉１１とが、回動可能に連結されている。
【００１８】
また、上記第１扉９には、施錠装置４１が設置されている。この施錠装置４１は、上記第１扉９内に埋設された施錠装置本体４３を備えている。この施錠装置本体４３には、ラッチ４５が図１中左右方向に進退可能に設置されている。
また、突出部としてのハンドル４７、４９が設置されている。このハンドル４７、４９は、上記第１扉９の図２中上下方向両面側に突出され、図示しない作業者により回動操作されると、上記ラッチ４５が進退される。また、上記施錠装置４１にはシリンダ５１が設置されている。このシリンダ５１は、上記第１扉９の図２中上側及び下側に突出され、図示しない鍵を図２中下側（室外）から挿入されて回動操作されることで、上記ラッチ４５の進退動作ひいてはハンドルの回動操作の規制とその解除を行う。また、上記シリンダ５１の図２中上側（室内）には突出部としてのサムターン５２が設置されており、このサムターン５２を回動操作することによっても、上記ラッチ４５の進退動作ひいてはハンドルの回動操作の規制とその解除を行うことができる。
【００１９】
常時は、上記ラッチ４５は上記第１扉９の図１中右側に突出された状態となっている。この状態では、上記ラッチ４５は、上記壁３の開口部５の図１中右側の辺に形成された図示しない凹部内に係合されており、これにより、上記第１扉９ひいては折り畳み扉１の開放が規制されている。
上記ハンドル４７、４９を図１中下側に回動操作すると、上記ラッチ４５は、図１中左側に退避され、上記第１扉９ひいては折り畳み扉１の開放が規制された状態は解除される。
【００２０】
また、上記第１扉９の図１中右下側であって、図１中紙面垂直方向手前側には、ドアホールド６１が設置されている。このドアホールド６１は、図３、図４に示すように、上記第１扉９に、ネジ６３、６３によって固着された軸受部材６５と、この軸受部材６５に回動可能に設置されたドアホールド本体６７とから構成されている。
【００２１】
上記ドアホールド本体６７には、図３に示すように、貫通孔６９が穿孔されている。この貫通孔６９は、後述するドアホールド受け１２１によって、貫通・係合され、それによって、上記第１扉９を既に述べた第２扉１１に対して回動された状態で固定するものである。
また、上記ドアホールド本体６７の先端側（図３中左端側）は操作部７０が形成されている。この操作部７０は、後述するように、上記ドアホールド６１が回動操作される際に、図示しない作業者の手等によって把持されるものである。
【００２２】
また、図１や図２に示すように、上記第１扉９の図１中下側には、ストッパ７１、７３、７５が設置されている。これらストッパ７１、７３、７５は、例えば、ゴム製の略円錐台形状の部材である。上記ストッパ７１は、上記第１扉の図１中紙面垂直方向手前側の面の図１中右下側に設置されている。上記ストッパ７３は、上記ストッパ７１の裏側（図１中紙面垂直方向奥側の上記ストッパ７１に対応する位置）に設置されている。上記ストッパ７５は、上記第１扉の図１中紙面垂直方向奥側の面の図１中左下側に設置されている。
【００２３】
また、上記ストッパ７１、７３、７５は、例えば、取付ネジによって第１扉９に着脱可能に取り付けられている。そして、上記ストッパ７１、７３、７５と上記第１扉９との間に、図示しないスペーサを１つ以上介挿することにより、上記ストッパ７１、７３、７５の高さ（上記第１扉９の表面から上記ストッパ７１、７３、７５の先端までの距離）を適宜調整することができる構成になっている。
【００２４】
既に述べた第２扉１１も、上記第１扉９と同様に、四角形に組み合わせた４つの枠材２１、２１、２１、２１と、これら枠材２１、２１、２１、２１の内側に設置された芯材２３と、上記枠材２１、２１、２１、２１と芯材２３の図２中上下両面側に設置された表面パネル２５、２５と、上記第１扉９の外周側に設置された外枠２７、２７、２７、２７と、から構成されている。
【００２５】
また、上記第２扉１１の戸尻側（図１中左側）には、ヒンジ機構８１、８１、８１が設置されている。このヒンジ機構８１、８１、８１によって、上記第２扉１１が、既に述べた壁３の開口部５の図１中左側の辺に回動可能に設置されることになる。
なお、上記壁３は、例えば、図２に示すように、芯材８３と、この芯材８３の両面側（図２中上下方向両側）に設置された表面パネル８５、８５と、から構成されており、上記開口部５の内周面には、枠材８７、８７、８７が設置されている。上記ヒンジ機構８１、８１、８１は、上記開口部５の図１中左側の枠材８７に設置されている。また、上記枠材８７、８７、８７のそれぞれにはパッキン８９が設置されており、上記折り畳み扉１によって上記開口部５が閉塞された際に、上記折り畳み扉１と上記枠材８７、８７、８７との間が塞がれるようになっている。
【００２６】
また、図１に示すように、上記第２扉１１の戸先側（図１中右端側）には、フランス落とし９１、９３が設置されている。
上記フランス落とし９１は上記第２扉１１の図１中下側に設置されている。上記フランス落とし９１は、図５（ａ）、図５（ｂ）に示すように、上記第２扉１１の戸先側（図５（ｂ）中紙面垂直方向手前側）の面に配置された操作レバー１０１と、金具１０２と、上記第２扉１１内に内装されたロッド１０３と、から構成されている。そして、上記操作レバー１０１を回動操作することにより、金具１０２を介して、上記ロッド１０３を図５中上下方向に進退させることができるものである。
【００２７】
図５には、上記操作レバー１０１が、図５中下側に回動操作され、上記ロッド１０３が上記第２扉１１内に退避された状態が示されている。
上記操作レバー１０１を図５中上側に回動操作されると、上記金具１０２を介して、上記ロッド１０３は上記第２扉１１の図５中下側に突出される。
【００２８】
一方、上記フランス落とし９３は上記第２扉１１の図１中上側に設置されている。上記フランス落とし９３も、上記フランス落とし９１と同様の構成であり、図６（ａ）や図６（ｂ）に示すように、上記第２扉１１の戸先側（図６（ｂ）中紙面垂直方向手前側）の面に配置された操作レバー１１１と、金具１１２と、上記第２扉１１内に内装されたロッド１１３と、から構成されている。そして、上記操作レバー１１１を回動操作することにより、金具１１２を介して、上記ロッド１１３を図６中上下方向に進退させることができるものである。
【００２９】
図６には、上記操作レバー１１１が、図６中上側に回動操作され、上記ロッド１１３が上記第２扉１１内に退避された状態が示されている。
上記操作レバー１１１を図６中下側に回動操作されると、上記金具１１２を介して、上記ロッド１１３は上記第２扉１１の図６中上側に突出される。
【００３０】
また、上記壁３の、既に述べた開口部５の、図１中下側及び上側には、ロッド受け部１９１、１９３が設置されている。このロッド受け部１９１、１９３は、上記開口部５に開口された凹部であり上記フランス落とし９１のロッド１０３が上記第２扉１１の図５中下側に突出されると、図１に示すように、上記ロッド１０３の先端側（図１中下側）の部分が、ロッド受け部１９１内に挿入される。
また、上記フランス落とし９３のロッド１１３が、上記第２扉１１の図６中上側に突出されると、図１に示すように、上記ロッド１１３の先端側（図１中上側）の部分が、ロッド受け部１９３内に挿入される。
この状態では、上記ロッド１０３と上記ロッド受け部１９１、及び、上記ロッド１１３と上記ロッド受け部１９３によって、上記第２扉１１の回動が規制される。
【００３１】
また、上記第２扉１１の図１中左下側であって、図１中紙面垂直方向手前側には、既に述べたドアホールド受け１２１が設置されている。このドアホールド受け１２１は、既に述べたドアホールド６１のドアホールド本体６７に係合され、それによって、既に述べた第１扉９と上記第２扉を折り畳んだ状態で保持するものである。
図４（ｂ）に示すように、上記ドアホールド受け１２１には、係合部１２２が形成されている。この係合部１２２は、上記ドアホールド受け１２１のドアホールド本体６７に係合される部位である。
また、上記ドアホールド受け１２１は、図３や図４に示すように、上記第２扉１１に、ネジ１２３によって固着されている。
【００３２】
また、上記第２扉１１の図１中左側には、収納部１３１が設けられている。この収納部１３１は、収納ボックス１３３によって構成されている。上記収納部１３１は、後述するように、第１扉９が上記第２扉１１に対して回動されて折り畳まれた際、上記第１扉９に設置されたハンドル４７を収納するためのものである。
上記第２扉１１には、図７（ａ）中下側の表面パネル２５の一部と芯材２３の一部がくり貫かれることで、収納部用凹部１３５が形成されている。この収納部用凹部１３５に上記収納ボックス１３３が内装されることにより、上記第２扉１１に上記収納ボックス１３３が埋設されている。
【００３３】
上記収納ボックス１３３には、まず、図８、図９に示すように、４つの構造材１３７、１３７、１３７、１３７により構成された枠体１３８がある。この枠体１３８は、上記４つの構造材１３７、１３７、１３７、１３７が、図９に示すように、Ｌ字形のコーナーピース１３９、１３９、１３９、１３９によって四角形状に連結されることによって構成されている。上記構造材１３７と上記コーナーピース１３９とは、上記構造材１３７の雌ネジ部１４１（図１０に示す）に螺合されるネジ１４３によって固定されている。
【００３４】
上記構造材１３７は、図１０に示すような端面形状を成している。上記構造材１３７には、長さ方向（図１０中紙面垂直方向）に延長されたコーナーピース用係合部１４４、１４４が形成されている。上記構造材１３７の端部（図１０中紙面垂直方向両端側）から、このコーナーピース用係合部１４４、１４４に、上記コーナーピース１３９の一辺が挿入・係合される。
また、図１０に示すように、上記構造材１３７には、コーナーピース当接部１４２が形成されており、上記コーナーピース１３９は、このコーナーピース当接部１４２に当接される。また、既に述べた雌ネジ部１４１は、上記コーナーピース当接部１４２に形成されている。
【００３５】
また。上記構造材１３７の図１０中下側には、長さ方向（図１０中紙面垂直方向）に延長された底板用係合部１４５が形成されている。図９に示すように、この底板用係合部１４５には、板状部材としての底板１４７が係合される。図８に示すように、この底板１４７によって、上記枠体１３８の一方の開口部（図８中下側の開口部）が閉塞される。
【００３６】
また、例えば、図７（ａ）に示すように、上記構造材１３７の底板用係合部１４５には押圧部材１４８も挿入される。この押圧部材１４８は、例えば、図９に示すように、略四角形の環状部材の一箇所を切断した形状を成している。上記押圧部材１４８は、図７（ａ）に示すように、上記底板１４７と上記底板用係合部１４５の図７（ａ）中下側の面との間に介挿され、上記底板１４７を上記底板用係合部１４５の図７（ａ）中上側の面に押圧することで、上記底板１４７を固定している。
【００３７】
また、上記構造材１３７の図９中上側には、貫通孔１４９、１４９が穿孔されている。図７（ａ）に示すように、この貫通孔１４９と第２扉１１の表面パネル２５を貫通するリベット１５３によって、上記収納ボックス１３３が上記第２扉１１に固定される。本実施の形態の場合、１つの上記収納ボックス１３３に８つの上記リベット１５３が使用される。また、上記リベット１５３の上記第２扉１１内部側は潰され、これによって、上記リベット１５３の抜け止めと上記収納ボックス１３３の固定が成される。
なお、上記リベット１５３は、いわゆるブラインドリベットであり、上記リベット１５３に貫通された図示しないピンが外側（図７（ａ）中下側）に引っ張られることで、上記図示しないピンの頭部によって上記リベット１５３の上記第２扉１１内部側が押圧されて潰されるように構成されているものである。
【００３８】
また、図７（ａ）に示すように、上記収納ボックス１３３の底板１４７と、上記第２扉１１の図７（ａ）中上側の表面パネル２５との間には、緩衝材１５７が介挿されている。
【００３９】
既に述べた壁３にも、図１や図２に示すように、収納部１７１が設けられている。
この収納部１７１も、既に述べた収納ボックス１３３によって構成される。
上記収納部１７１は、後述するように、折り畳まれた第１扉９と第２扉１１が壁３に対して回動されて折り畳まれた際、上記第１扉９に設置されたハンドル４９が収納される空間を確保する。
上記壁３には、図７（ｂ）に示すように、収納部用貫通孔１７３が形成されている。この収納部用貫通孔１７３に上記収納ボックス１３３が内装されることにより、上記壁３に上記収納ボックス１３３が埋設されている。
【００４０】
また、上記収納部用貫通孔１７３の図７（ｂ）中上側の開口部には、外枠１７５が設置されている。この外枠１７５は、Ｌ字型構造材１７７を、上記収納部用貫通孔１７３の図７（ｂ）中上側の開口部の４辺それぞれに取り付けることによって構成されている。上記Ｌ字型構造材１７７は、上記Ｌ字型構造材１７７と既に述べた壁３の表面パネル８５を貫通するリベット１８１によって固定される。このリベット１８１の上記壁３内部側は潰されており、これによって、上記リベット１８１の抜け止めと上記Ｌ字型構造材１７７の固定が成される。上記リベット１８１も、既に述べたリベット１５３と同様、いわゆるブラインドリベットである。
【００４１】
また、上記収納部１７１の収納ボックス１３３も、既に述べた収納部１３１の収納ボックス１３３と同様に、構造材１３７の貫通孔１４９と上記壁３の表面パネル８５を貫通するリベット１５３によって固定される。
また、上記収納部１７１の場合は、上記収納ボックス１３３の底板１４７が上記壁３の図７（ｂ）中上側に露出している。
以上が、本実施の形態による折り畳み扉１及び折り畳み扉装置７の構成の説明である。
【００４２】
次に、図１、図２、及び、図１１〜図１７を参照しながら、本実施の形態による折り畳み扉１及び折り畳み扉装置７の作用について説明する。
まず、図１や図２に示す場合には、上記折り畳み扉１は展開されていて、開口部５は「閉塞状態」となっている。この「閉塞状態」では、壁３の開口部５の全部が、展開された折り畳み扉１によって閉塞されている。また、第１扉９は、施錠装置４１のラッチ４５によってその回動が規制されており、第２扉１１は、フランス落とし９１のロッド１０３とフランス落とし９３のロッド１１３によってその回動が規制されている。
【００４３】
この「閉塞状態」から上記折り畳み扉１を折り畳んで、上記開口部５を開放するには、次のような操作を行う。
まず、上記第１扉９に設置されたドアホールド６１のドアホールド本体６７を図２中反時計回り方向に回動させる。
次に、ハンドル４７又はハンドル４９を図１中下側に回動操作し、施錠装置４１のラッチ４５を施錠装置本体４３内に退避させる。
なお、上記ラッチ４５の進退動作が規制された状態である場合は、事前に、シリンダ５１に図示しない鍵を挿入して回動操作するか、サムターン５２を回動操作し、上記ラッチ４５の進退動作の規制を解除しておく。
【００４４】
次に、上記第１扉９を図２中時計回り方向に回動させていき、上記ドアホールド本体６７の貫通孔６９に上記第２扉１１に設置されたドアホールド受け１２１を貫通させて、上記ドアホールド６１を係合させる。
このようにして、上記第１扉９を第２扉１１に対して折り畳まれた状態とする。
【００４５】
このような操作により、上記「閉塞状態」から、図１１と図１２に示す「半開放状態」となる。
この「半開放状態」においては、図１１に示すように、上記開口部５の図１１中右側が開放されている。
また、このとき、上記ドアホールド受け１２１と上記ドアホールド６１とが係合されることで、上記第２扉１１に対する上記第１扉９の図１２中反時計回り方向への不用意な回動が規制される。
なお、上記ドアホールド受け１２１と上記ドアホールド６１との係合を解除する場合は、上記第１扉９を図１２中時計回り方向に回動させるように若干押し込み、上記ドアホールド６１のドアホールド本体６７を図１２中反時計回り方向に回動させる。
【００４６】
また、このとき、例えば、図１２に示すように、第２扉１１の収納部１３１内に、上記第１扉９に設置されたハンドル４７が収納される。
また、このとき、上記第１扉９のストッパ７１が、上記第２扉１１に当接され、上記第１扉９の上記第２扉１１側への更なる回動が規制される。これによって、上記ハンドル４７が上記収納部１３１の収納ボックス１３３の内周面に当接してしまうことを防止している。
【００４７】
次に、上記第２扉１１のフランス落とし９１、９３の操作レバー１０１、１１１を回動操作し、ロッド１０３、１１３を上記第２扉１１内に退避させる。
その後、折り畳まれた上記第１扉９と第２扉１１を、壁３に対して図１２中時計回り方向に回動させて折り畳む。
このような操作により、上記「半閉塞状態」から、図１３〜図１６に示す「開放状態」となる。
この「開放状態」においては、図１３に示すように、上記開口部５の全てが開放されている。
【００４８】
また、このとき、図１３〜図１６に示すように、第２扉１１の収納部１３１内に上記第１扉９に設置されたハンドル４７が収納されるとともに、上記壁３の収納部１７１内に上記第１扉９に設置されたハンドル４９とサムターン５２が収納される。
また、このとき、上記第１扉９のストッパ７１が上記第２扉１１に当接されるとともに、上記第１扉９のストッパ７３、７５が上記壁３に当接される。これによって、上記ハンドル４７が上記収納部１３１の収納ボックス１３３の内周面に当接してしまうことや、上記ハンドル４９が上記収納部１７１の収納ボックス１３３の内周面に当接してしまうことを防止している。また、上記折り畳み扉１を折り畳んで「開放状態」とした際、上記ハンドル４７、４９、及び、上記サムターン５２が設置された上記第１扉９は、上記第２扉１１と上記壁３との間に収納されることになる。
【００４９】
以上のような一連の操作により、上記折り畳み扉１によって閉塞された開口部５を開放させることができる。
また、上記解放された開口部５を再び「閉塞状態」とする場合には、上記一連の操作を、逆の順番で行えばよい。
【００５０】
また、図１７は、上記第１扉９や上記第２扉１１の回動される範囲を示した図である。
図１７中に破線で示す半円ａは、上記第１扉９の回動される範囲を示す。また、図１７中に破線で示す半円ｂは、折り畳まれた上記第１扉９と上記第２扉１１の回動される範囲を示す。また、図１７中に破線で示す半円ｃは、上記折り畳み扉１の代わりに同じ大きさの折り畳まれる構成とはなっていない一枚の扉を設置した場合、この一枚の扉の回動される範囲を示す。
この図１７によると、上記折り畳み扉１の、上記第１扉９や第２扉１１の回動される範囲は、上記一枚の扉の回動される範囲より大幅に小さくなっている。
以上が、本実施の形態による作用の説明である。
【００５１】
次に、本実施の形態による効果について説明する。
まず、第２扉１１に収納部１３１が設けられているため、第１扉９を上記第２扉１１に対して回動させて折り畳んだ際、上記収納部１３１内に、上記第１扉９に設置されたハンドル４７を収納させることができる。
また、壁３にも収納部１７１が設けられているため、折り畳まれた上記第１扉９と第２扉１１を上記壁３に対して回動させて折り畳んだ際、上記収納部１７１内に上記第１扉９に設置されたハンドル４９とサムターン５２を収納させることができる。
その結果、折り畳み扉１をコンパクトな状態で折り畳むことができ、例えば、折り畳み扉１が廊下に面して設置されていた場合、「開放状態」において、廊下のスペースを有効利用することができ、結局、廊下の幅を小さくすることが可能になる。
【００５２】
このように、上記収納部１３１に上記ハンドル４７を収納することにより、上記ハンドル４７と上記第２扉１１との干渉を防ぐことができ、上記収納部１７１内に上記ハンドル４９と上記サムターン５２を収納することにより、上記ハンドル４９及び上記サムターン５２と上記壁３との干渉を防ぐことができ、且つ、後述するストッパ７１、７３、７５の効果も相まって、上記ハンドル４７による上記第２扉１１の破損や、上記ハンドル４９及び上記サムターン５２による上記壁３の破損を防止することができる。
また、上記折り畳み扉１を折り畳んだ際、上記ハンドル４７、４９、及び、上記サムターン５２が設置された上記第１扉９は、上記第２扉１１と上記壁３との間に収納される。そのため、上記折り畳み扉１を、上記ハンドル４７等の突出部を外部に露出させない状態でコンパクトに折り畳むことができる。
【００５３】
また、上記収納部１３１及び収納部１７１は、収納ボックス１３３を上記壁２に埋設することによって構成されるため、上記収納部１３１及び収納部１７１を容易に構成することができる。
また、上記収納ボックス１３３は、４つの構造材１３７からなる枠体１３８と、底板１４７とから構成されるため、上記収納ボックス１３３を容易に構成することができる。
また、本実施の形態の場合には、収納部１３１内には第１扉のハンドル４７のみが収納されるので、収納ボックス１３３の大きさは小さくていいが、敢えて、収納部１７１の収納ボックス１３３と同じ大きさのものを使用しており、それによって、部品管理を容易なものとしている。
【００５４】
また、１つの上記収納部１３１内に上記ハンドル４７と上記サムターン５２の両方が収納されるようになっているため、上記折り畳み扉装置７を簡易な構成とすることができる。
【００５５】
また、上記第１扉９には、ストッパ７１、７３、７５が設置されており、上記第１扉９のストッパ７１が上記第２扉１１に当接され、上記第１扉９のストッパ７３、７５が上記壁３に当接されることで、ハンドル４７が上記収納部１３１の収納ボックス１３３の内周面に当接してしまうことや、ハンドル４９が上記収納部１７１の収納ボックス１３３の内周面に当接してしまうことを防止することができる。これにより、上記したように、上記ハンドル４７、４９により、上記収納ボックス１３３が破損してしまうことを防止できる。
【００５６】
また、上記第１扉９にはドアホールド６１が設置されており、上記第２扉１２にはドアホールド受け１２１が設置されているため、上記第１扉９を第２扉１１に対して回動させて折り畳んだ際、ドアホールド本体６７の貫通孔６９に上記ドアホールド受け１２１を係合させることで、上記第２扉１１に対して上記第１扉９を固定することができる。これにより、上記第１扉９が不用意に回動されてしまうことを防止できる。
【００５７】
また、上記第２扉１１にはフランス落とし９１、９３が設置されており、上記フランス落とし９１のロッド１０３がロッド受け１９１に挿入され、上記フランス落とし９３のロッド１１３がロッド受け１９３に挿入されることで、上記第２扉１１の不用意な回動を防止できる。
【００５８】
また、図１７に示すように、上記折り畳み扉１は、上記第１扉９と上記第２扉１１が回動可能に連結した構成となっており、上記折り畳み扉１も壁３に対して回動可能に設置されているため、折り畳まれる構成となっていない一枚の扉を使用した場合に比べて、上記折り畳み扉１の回動に必要な範囲を大幅に小さくすることができる。
以上が、本実施の形態による効果の説明である。
【００５９】
次に、本考案の第２の実施の形態について、図１８を参照しながら説明する。
本実施の形態による折り畳み扉装置２０１は、壁２０３に２つの折り畳み扉２０５、２０７が回動可能に設置され、「両開き」の折り畳み扉装置として構成されたものである。
上記壁２０３には、開口部２０９が設けられており、この開口部２０９の図１８中右側に上記折り畳み扉２０５が設置されており、上記開口部２０９の図１８中左側に上記折り畳み扉２０７が設置されている。
【００６０】
上記折り畳み扉２０５は、前述した第１の実施の形態における折り畳み扉１を左右対称にした構成となっている。また、上記折り畳み扉２０５の施錠装置４１のラッチ４５は、上記折り畳み扉２０７に対して係合されるようになっている。
また、上記折り畳み扉２０５は、前述した第１の実施の形態における折り畳み扉１とほぼ同様の構成であるが、施錠装置４１が設置されない構成となっている。
【００６１】
また、上記壁２０３の上記開口部２０９の図１８中左右両側に、それぞれ収納部２１１、２１３が設けられている。この収納部２１１、２１３は、前述した第１の実施の形態における収納部１７１と同様の構成である。
なお、前述した第１の実施の形態の場合と共通する構成については、同一の符号を付し、その説明を省略している。
【００６２】
本実施の形態による折り畳み扉装置２０１や折り畳み扉２０５、２０７も、前述した第１の実施の形態による折り畳み装置７や折り畳み扉１と同様の作用・効果を奏する。
本実施の形態の場合は、上記折り畳み扉装置２０１は、２つの折り畳み扉２０５、２０７が設置された「両開き」の構成となっており、前述した第１の実施の形態における開口部５よりも、本実施の形態における開口部２０９の方が大きくなっている。
また、上記開口部２０９が上記開口部５よりも大きくなっているものの、上記折り畳み扉２０５、２０７の折り畳みに必要な範囲は、前述した第１の実施の形態の場合と同様、小さなものであり、上記範囲が上記開口部２０９の大きさに合わせて図１８紙面垂直方向手前側に拡大されてしまうようなことはない。
【００６３】
次に、本考案の第３の実施の形態について、図１９を参照しながら説明する。
本実施の形態による折り畳み扉装置３０１は、前述した第１の実施の形態における折り畳み扉１とほぼ同様の構成であり、「片開き」の折り畳み扉装置として構成されたものである。
しかし、上記折り畳み扉装置３０１の場合には、壁３に収納部１７１が設けられていない。
【００６４】
ここで、上記折り畳み扉装置３０１の場合は、上記壁３の図１９（ａ）中紙面垂直方向手前側であって、開口部５の外周側には、枠材３０３、３０５、３０７が設置されている。
上記枠材３０３は、上記開口部５の図１９（ａ）中左側に設置されており、上記枠材３０５は、上記開口部５の図１９（ａ）中上側に設置されており、上記枠材３０７は、上記開口部５の図１９（ａ）中右側に設置されている。
上記枠材３０３、３０５、３０７の図１９（ｂ）中上下方向の大きさは、第１扉９から突出されたハンドル４７、４９の図１９（ｂ）中上下方向の大きさよりも若干大きなものとなっている。
【００６５】
そして、上記枠材３０３に対して、折り畳み扉１がヒンジ機構８１、８１、８１を介して回動可能に設置されている。このような構成により、上記折り畳み扉１は、上記壁３よりも図１９（ｂ）中下側に設置されることになる。
また、図１９（ｂ）に破線で示すように、上記折り畳み扉１が折り畳まれた状態になると、上記ハンドル４９は、上記枠材３０３の図１９（ｂ）中左側に退避される。これにより、上記壁３に収納部１７１が設置されていなくても、上記ハンドル４９と上記壁３との干渉を防止し、上記折り畳み扉１をコンパクトに折り畳むことができる。
なお、前述した第１の実施の形態の場合と共通する構成については、同一の符号を付し、その説明を省略している。
【００６６】
なお、本考案は、前述した第１〜第３の実施の形態に限定されない。
まず、上記折り畳み扉１等を構成する扉の数については、３以上の場合も考えられる。
【００６７】
また、上記折り畳み扉１等に施錠装置４１が設置されない場合も考えられる。この場合であっても、第１扉９等を回動させるためのハンドル等が設置されることになり、このハンドル等を収納するための収納部は必要となる。
【００６８】
また、突出部としてのサムターン５２が上記第１扉９の両面側に設置される場合も考えられる。
また、シリンダ５１に図示しない鍵を差し込んだままにした場合、この図示しない鍵が突出部となる場合も考えられる。
また、サムターンがない場合であって、シリンダ５１が折り畳み扉１の両面に突出している場合、それぞれの突出部が収納対象の突出部として、収納部１３１、１７１内に収納される場合も考えられる。
また、サムターンがない場合であって、上記シリンダ５１が、上記第１扉９の一方の面側のみに突出されていて、その突出部が収納対象の突出部として、収納部１３１又は１７１内に収納される場合も考えられる。
【００６９】
また、前述した第１〜第３の実施の形態では、突出部の一部が収納部１３１、１７１に収納されていたが、上記突出部の全ての部分が収納部１３１又は収納部１７１に収納される場合も考えられる。例えば、上記折り畳み扉１を折り畳んだ際、第１扉９と壁３との間の隙間や上記第１扉９と第２扉１１との間の隙間を無くすようにヒンジ機構３１、８１の大きさ等を設定すれば、上記突出部の全ての部分が上記収納部１３１又は収納部１７１に収納されることになる。
【００７０】
また、上記施錠装置４１のシリンダが突出していない場合も考えられる。
また、上記折り畳み扉１等には、ラッチ４５の進退動作の規制が可能な上記施錠装置４１が設置されていたが、上記ラッチ４５の進退動作は規制されず、上記ラッチ４５とは別に上記第１扉９等の開放を規制する機構が設けられる場合も考えられる。
また、ハンドル４７としては、図示したようなＬ字状のものに限定されず、円形、その他、様々な形状のものが考えられる。
また、折り畳み扉１等にドアホールド６１やドアホールド受け１２１が設置されない場合も考えられる。
【００７１】
また、上記収納部１３１、１７１や収納ボックス１３３の形状、大きさ、個数は、突出部の個数、形状、大きさ、設置範囲などによって、様々な場合が考えられる。例えば、上記第２扉１１に、複数の収納部が設置されることも考えられる。
【００７２】
また、前記第１〜第３の実施の形態においては、折り畳んだ状態で、第１扉が第２扉と壁の間に収納されるような折り畳み構造を例に挙げて説明したが、それに限定されるものではなく、第２扉が壁と第１扉の間に収納されるような折り畳み構造の場合も考えられる。
その他、図示した構成に限定されるものではない。
【産業上の利用可能性】
【００７３】
本考案は、例えば、部屋の出入口に使用される折り畳み扉と折り畳み扉装置に係り、特に、折り畳み時に、ハンドル等の突出物を収納することにより、コンパクトに折り畳むことができるように工夫したものに関し、例えば、工場の出入口の折り畳み扉と折り畳み扉装置に好適である。
【符号の説明】
【００７４】
１  折り畳み扉
３  壁（設置部）
７  折り畳み扉装置
９  第１扉
１１  第２扉
１３１  収納部
１３３  収納ボックス
１３７  構造材
１３８  枠体
１４７  底板（板状部材）
１７１  収納部
４７  ハンドル（突出部）
４９  ハンドル（突出部）
５２  サムターン（突出部）
２０１  折り畳み扉装置
２０３  壁（設置部）
２０５  折り畳み扉
２０７  折り畳み扉
２１１  収納部
２１３  収納部
３０１  折り畳み扉装置
【図１】
0003186005.tif 000003
【図２】
0003186005.tif 000004
【図３】
0003186005.tif 000005
【図４】
0003186005.tif 000006
【図５】
0003186005.tif 000007
【図６】
0003186005.tif 000008
【図７】
0003186005.tif 000009
【図８】
0003186005.tif 000010
【図９】
0003186005.tif 000011
【図１０】
0003186005.tif 000012
【図１１】
0003186005.tif 000013
【図１２】
0003186005.tif 000014
【図１３】
0003186005.tif 000015
【図１４】
0003186005.tif 000016
【図１５】
0003186005.tif 000017
【図１６】
0003186005.tif 000018
【図１７】
0003186005.tif 000019
【図１８】
0003186005.tif 000020
【図１９】
0003186005.tif 000021
【図２０】
0003186005.tif 000022